(57)【要約】【課題】厚い縫製物だけでなく、薄い縫製物の縫製にも適した総合送りミシンを提供する。【解決手段】  総合送りミシン１０では、上送り足２４の縫製物を押える底部５４が、二股形状とされており、その二股の間の部分に、押え足２０の縫製物を押える底部３６が収容される。つまり、縫製物を押える押え足の底部は、上送り足の貫通部内に収容されるため、比較的コンパクトである。このため、上糸と下糸との結束部に近い個所において、縫製物を、押え足の底部によって押えることが可能となる。これにより、上糸が上方に引っ張られる際に、縫製物が薄い場合であっても、縫製物が、上糸とともに上方に移動することを適切に防止することが可能なり、縫い縮みの発生を適切に防止することが可能となる。つまり、本発明の総合送りミシンによれば、厚い縫製物だけでなく、薄い縫製物の縫製をも適切に行うことが可能となる。【選択図】図１２
2015142657.tif 000002
【特許請求の範囲】
【請求項１】
上下方向に移動し、底面において縫製物を押えるＬ字型の押え部材と、
上下方向に移動するとともに、縫製物の送り方向に搖動し、縫い針の刺さった状態の縫製物を底面において押えつつ、前記送り方向に送るＬ字型の上送り部材と
を備えた総合送りミシンであって、
前記上送り部材が、
前記上送り部材の縫製物を押える底部に、上下方向に貫通する貫通部が形成され、
前記押え部材の縫製物を押える底部が、
前記押え部材と前記上送り部材との少なくとも一方の上下方向に移動に伴って、前記上送り部材の前記貫通部内に位置することを特徴とする総合送りミシン。
【請求項２】
前記上送り部材の底部が、二股形状をなし、
前記上送り部材の底部の二股の間の部分が、前記貫通部として機能することを特徴とする請求項１に記載の総合送りミシン。
【請求項３】
前記押え部材の底部に、前記送り方向に延びる長穴が形成され、
前記押え部材が、
前記長穴を介して前記縫い針の刺さった状態の縫製物を底面において押えることを特徴とする請求項１または請求項２に記載の総合送りミシン。
【発明の詳細な説明】
【技術分野】
【０００１】
本発明は、底面において縫製物を押えるＬ字型の押え部材と、縫い針の刺さった状態の縫製物を底面において押えつつ、送り方向に送るＬ字型の上送り部材とを備えた総合送りミシンに関する。
【背景技術】
【０００２】
総合送りミシンでは、縫製物の上面を押える上送り部材が、上下方向に移動かつ、所定の方向に搖動可能であり、縫い針も、上下方向に移動かつ、所定の方向に搖動可能である。また、縫製物の下面に接触する下送り歯は、所定の方向にスライド可能とされている。このため、総合送りミシンでは、上送り部材と縫い針と下送り歯とによって、縫製物が所定の方向に送り出されるため、厚い縫製物であっても、適切に縫製物の送り出しを行うことが可能となっている。下記特許文献には、そのような総合送りミシンの一例が記載されている。
【先行技術文献】
【特許文献】
【０００３】
【特許文献１】特開２００７−２８２７４７号公報
【発明の概要】
【発明が解決しようとする課題】
【０００４】
上記特許文献に記載された総合送りミシンによれば、厚い縫製物の送り出しを適切に行うことが可能となる。しかしながら、上記特許文献に記載の総合送りミシンによって、薄い縫製物の縫製を行うと、縫い縮みが発生する虞がある。これは、上糸が上方に引っ張られ、上糸と下糸とが結束される際に、縫製物は、押え部材によって押えられるが、上記特許文献に記載の総合送りミシンの押え部材は、二股形状とされており、縫製物が押え部材によって押えられる際に、押え部材の二股の間に、上糸と下糸との結束部が位置している。このため、上糸と下糸との結束部から離れた個所において、縫製物が、押え部材によって押えられており、縫製物が薄い場合には、縫製物が、上糸ともに上方に引っ張られ、テント形状となる。このように、テント形状となった縫製物に、縫い針が刺され、縫製が行われると、縫製物に縫い縮みが発生する。つまり、上記特許文献に記載の総合送りミシンは、厚い縫製物の縫製に適しているが、薄い縫製物の縫製に適していない。本発明は、そのような事情に鑑みてなされたものであり、厚い縫製物だけでなく、薄い縫製物の縫製にも適した総合送りミシンの提供を課題とする。
【課題を解決するための手段】
【０００５】
上記課題を解決するために、本願の請求項１に記載の総合送りミシンは、上下方向に移動し、底面において縫製物を押えるＬ字型の押え部材と、上下方向に移動するとともに、縫製物の送り方向に搖動し、縫い針の刺さった状態の縫製物を底面において押えつつ、前記送り方向に送るＬ字型の上送り部材とを備えた総合送りミシンであって、前記上送り部材が、前記上送り部材の縫製物を押える底部に、上下方向に貫通する貫通部が形成され、前記押え部材の縫製物を押える底部が、前記押え部材と前記上送り部材との少なくとも一方の上下方向に移動に伴って、前記上送り部材の前記貫通部内に位置することを特徴とする。
【０００６】
また、請求項２に記載の総合送りミシンでは、請求項１に記載の総合送りミシンにおいて、前記上送り部材の底部が、二股形状をなし、前記上送り部材の底部の二股の間の部分が、前記貫通部として機能することを特徴とする。
【０００７】
また、請求項３に記載の総合送りミシンでは、請求項１または請求項２に記載の総合送りミシンにおいて、前記押え部材の底部に、前記送り方向に延びる長穴が形成され、前記押え部材が、前記長穴を介して前記縫い針の刺さった状態の縫製物を底面において押えることを特徴とする。
【発明の効果】
【０００８】
請求項１に記載の総合送りミシンでは、上送り部材の縫製物を押える底部に、上下方向に貫通する貫通部が形成されている。そして、押え部材の縫製物を押える底部が、押え部材と上送り部材との少なくとも一方の上下方向に移動に伴って、上送り部材の貫通部内に収容される。つまり、縫製物を押える押え部材の底部は、上送り部材の貫通部内に収容されるため、比較的コンパクトである。このため、上糸と下糸との結束部に近い個所において、縫製物を、押え部材の底部によって押えることが可能となる。これにより、上糸が上方に引っ張られる際に、縫製物が薄い場合であっても、縫製物が、上糸とともに上方に移動することを適切に防止することが可能なり、縫い縮みの発生を適切に防止することが可能となる。つまり、請求項１に記載の総合送りミシンによって、厚い縫製物だけでなく、薄い縫製物の縫製をも適切に行うことが可能となる。
【０００９】
また、請求項２に記載の総合送りミシンでは、上送り部材の底部が、二股形状をなし、その二股の間の部分に、押え部材の底部が収容される。これにより、シンプルな形状の上送り部材の底部内に、押え部材の底部を収容することが可能となる。
【００１０】
また、請求項３に記載の総合送りミシンでは、押え部材の底部に、送り方向に延びる長穴が形成され、押え部材が、長穴を介して縫い針の刺さった状態の縫製物を底面において押えている。つまり、長穴の量端部には、押え部材の底部が位置しており、縫製物が前方向、若しくは、後方向に送られた場合であっても、上糸と下糸との結束部に近い箇所において、縫製物を押え部材の底部によって、押えることが可能となる。これにより、押え部材の送り方向に関わらず、縫い縮みの発生を防止することが可能となる。
【図面の簡単な説明】
【００１１】
【図１】実施例の総合送りミシンを示す斜視図である。
【図２】図１の総合送りミシンの備える押え足を示す斜視図である。
【図３】図１の総合送りミシンの備える上送り足を示す斜視図である。
【図４】図１の総合送りミシンの備える針板を示す斜視図である。
【図５】図１の総合送りミシンの備える下送り歯を示す斜視図である。
【図６】縫製時の総合送りミシンの作動状態を示す図である。
【図７】縫製時の総合送りミシンの作動状態を示す図である。
【図８】縫製時の総合送りミシンの作動状態を示す図である。
【図９】縫製時の総合送りミシンの作動状態を示す図である。
【図１０】縫製時の総合送りミシンの作動状態を示す図である。
【図１１】縫製時の総合送りミシンの作動状態を示す図である。
【図１２】上糸と下糸との結束時における実施例の総合送りミシンを示す斜視図である。
【図１３】上糸と下糸との結束時における従来の総合送りミシンを示す斜視図である。
【図１４】上糸と下糸との結束時における従来の総合送りミシンを図１３の角度と異なる角度から示す斜視図である。
【発明を実施するための形態】
【００１２】
以下、本発明を実施するための形態として、本発明の実施例を、図を参照しつつ詳しく説明する。  
【００１３】
＜総合送りミシン１０の構成＞
図１に、本発明の実施例の総合送りミシン１０を示す。総合送りミシン１０は、押え足２０によって押えられた縫製物に縫い針２２を刺し、縫い針２２の刺さった状態の縫製物を、上送り足２４と下送り歯２６とによって所定の方向に送る構造のミシンであり、厚い縫製物だけでなく、薄い縫製物をも適切に縫製可能なミシンである。総合送りミシン１０では、押え足２０、上送り足２４等の形状に特徴があり、押え足２０、上送り足２４等を移動させるための機構は、従来の総合送りミシンと同じである。このため、押え足２０、上送り足２４等の拡大図を図示し、押え足２０、上送り足２４等を移動させるための機構の図は、省略する。また、押え足２０、上送り足２４等の構成について、詳しく説明し、押え足２０、上送り足２４等を移動させるための機構の構成については、説明を省略、若しくは、簡略化して説明する。
【００１４】
総合送りミシン１０は、図１に示すように、押え足２０と縫い針２２と上送り足２４と下送り歯２６と針板２８とを備えている。押え足２０は、第１軸３０の下端に固定されており、第１軸３０は、上下方向に移動可能に、ミシンアーム３２によって保持されている。そして、第１軸３０は、押え機構（図示省略）によって、上下方向に移動する。これにより、押え足２０は、上下方向に移動する。
【００１５】
押え足２０は、概してＬ字型をなし、軸部３４と底部３６とによって構成されている。押え足２０は、底部３６が総合送りミシン１０の前後方向（図１に示す矢印の方向）に延びるように、軸部３４において第１軸３０に固定されており、底部３６には、図２に示すように、総合送りミシン１０の前後方向に延びるように、長穴３８が形成されている。
【００１６】
また、上送り足２４は、図１に示すように、第２軸５０の下端に固定されている。第２軸５０は、第１軸３０の隣に配設されており、第１軸３０の下端に固定された押え足２０の軸部３４と底部３６との間の部分の上方に位置している。また、第２軸５０は、上下方向に移動可能かつ、総合送りミシン１０の前後方向に搖動可能に、ミシンアーム３２によって保持されている。そして、第２軸５０は、上送り機構（図示省略）によって、上下方向に移動するとともに、総合送りミシン１０の前後方向に搖動する。これにより、上送り足２４は、上下方向に移動するとともに、総合送りミシン１０の前後方向に搖動する。
【００１７】
上送り足２４は、概してＬ字型をなし、軸部５２と底部５４とによって構成されている。上送り足２４は、底部５４が押え足２０の底部３６と同じ方向に延びるように、軸部５２において第２軸５０に固定されている。また、上送り足２４は、図３に示すように、軸部５２の途中から底部５４の先端部に渡って、二股形状とされており、その二股の間の部分は、上下方向に貫通する貫通部５６として機能する。なお、貫通部５６の幅、つまり、上送り足２４の二股の間隔は、押え足２０の底部３６の幅より僅かに広い。このため、上送り足２４が下降、若しくは、押え足２０が上昇すると、上送り足２４の二股の間に、押え足２０の底部３６が入り込む。
【００１８】
また、縫い針２２は、図１に示すように、第３軸６０の下端に固定されている。第３軸６０は、第２軸５０の隣に配設されており、第２軸５０の下端に固定された上送り足２４の底部５４の貫通部５６、および、第１軸３０の下端に固定された押え足２０の長穴３８の上方に位置している。また、第３軸６０は、上下方向に移動可能かつ、総合送りミシン１０の前後方向に搖動可能に、ミシンアーム３２によって保持されている。そして、第３軸６０は、針上下動機構（図示省略）および、針振り機構（図示省略）によって、上下方向に移動するとともに、総合送りミシン１０の前後方向に搖動する。これにより、縫い針２２は、上下方向に移動するとともに、総合送りミシン１０の前後方向に搖動する。
【００１９】
また、針板２８は、押え足２０の底部３６および、上送り足２４の底部５４と向かい合うように、ミシンテーブル６２に固定されている。針板２８は、図４に示すように、概して矩形をなしており、針板２８には、長手方向に延びるように、Ｕ字型の貫通穴６６が形成されている。なお、針板２８は、図１に示すように、総合送りミシン１０の前後方向に延びるように、ミシンテーブル６２に固定されており、貫通穴６６は、上送り足２４の底部５４の真下に形成されている。
【００２０】
さらに、針板２８には、図４に示すように、Ｕ字型の貫通穴６６の間に突出する突出部６８に、長穴７０が形成されている。長穴７０は、押え足２０の長穴３８の真下に形成されており、その長穴３８と同形状とされている。このため、押え足２０が下降し、針板２８に接触すると、押え足２０の長穴３８と針板２８の長穴７０とが一致し、２つの長穴３８，７０を介して、上下方向に貫通する。なお、針板２８の下方には、下糸を導出するための釜（図７参照）７２が配設されている。
【００２１】
また、下送り歯２６は、図５に示すように、基端部７６と歯形成部７８とによって構成されている。歯形成部７８は、針板２８の貫通穴６６と略同形状のＵ字型をしており、図１に示すように、貫通穴６６に嵌合されている。ただし、歯形成部７８の幅方向の寸法は、貫通穴６６の幅方向の寸法と略同じであるが、歯形成部７８の長手方向の寸法は、貫通穴６６の長手方向の寸法より短い。このため、貫通穴６６に嵌合された歯形成部７８は、貫通穴６６内において、針板２８の長手方向、つまり、総合送りミシン１０の前後方向にスライド可能である。
【００２２】
その歯形成部７８が嵌合される貫通穴６６は、上述したように、上送り足２４の底部５４の真下に位置しており、歯形成部７８の幅は、上送り足２４の底部５４の幅と略同じである。さらに、Ｕ字型の歯形成部７８の二股の間の部分の幅と、上送り足２４の底部５４の二股の間の部分の幅とは、略同じである。このため、上送り足２４が下降すると、上送り足２４の底部５４は、貫通穴６６に嵌合された歯形成部７８に接触し、歯形成部７８の二股の部分と、上送り足２４の底部５４の二股の部分とが、一致する。なお、歯形成部７８の上面には、複数の歯が形成されている。
【００２３】
また、基端部７６は、図５に示すように、歯形成部７８の下面に固定されており、下方に延び出している。さらに、基端部７６には、ブラケット８０が形成されており、ブラケット８０が、下送り機構（図示省略）に連結されている。下送り機構は、基端部７６を総合送りミシン１０の前後方向にスライドさせる機構であり、これにより、歯形成部７８が、貫通穴６６内において、総合送りミシン１０の前後方向にスライドする。
【００２４】
＜総合送りミシン１０の作動＞
上記構成の総合送りミシン１０の縫製時の作動について、以下に詳しく説明する。まず、図６に示すように、総合送りミシン１０のミシンテーブル６２上に、縫製物が載置され、押え足２０の底部３６と上送り足２４の底部５４とによって、縫製物が押えられている。この際、押え足２０の底部３６は、上送り足２４の底部５４の二股の間に位置している。さらに、押え足２０の長穴３８と針板２８の長穴７０が一致するとともに、上送り足２４の底部５４の二股の部分と下送り歯２６の歯形成部７８の二股の部分とが一致している。
【００２５】
そして、上糸の挿通された縫い針２２の先端が、図７に示すように、針板２８の下方まで下降する。この際、縫い針２２は、押え足２０の長穴３８および針板２８の長穴７０を貫通している。また、押え足２０は上昇し、押え足２０による縫製物の押えは解除されている。つまり、縫製物に縫い針２２が刺さっている状態において、縫製物は、上送り足２４のみによって、押えられている。
【００２６】
次に、針板２８の下方まで下降した縫い針２２は、図８に示すように、上昇するが、縫い針２２の上昇時に、縫い針２２に挿通している上糸がループ状となり、ループ状の上糸が、釜７２に設けられた剣先（図示省略）によって補足される。そして、釜７２に収容されているボビン（図示省略）の下糸が、ループ状の上糸に絡められることで、縫い目が形成される。この際、縫製物を押えている上送り足２４は、図に示す矢印８８の方向に向かって搖動するとともに、下送り歯２６も、矢印８８の方向に向かってスライドする。さらに、縫製物に刺さった状態の縫い針２２も、矢印８８の方向に向かって搖動する。これにより、縫製物は、上送り足２４と下送り歯２６と縫い針２２とによって、矢印８８の方向に送り出される。このように、総合送りミシン１０では、上送り足２４と下送り歯２６と縫い針２２とによって縫製物が送り出されるため、厚い縫製物であっても、適切な送り出しを行うことが可能となる。
【００２７】
続いて、縫い針２２は、さらに上昇するが、この際、図９に示すように、押え足２０が下降する。そして、下降した押え足２０によって、図１０に示すように、縫製物が押えられる。一方で、上送り足２４は、上昇し、搖動前の位置に戻る。これにより、縫製物は、押え足２０のみによって、押えられている。この際、縫い針２２は上昇し、上糸は上方に引っ張られ、下糸と締め付けられる。この上糸と下糸との締め付けの際に、縫製物も上方に引っ張られるが、押え足２０によって、縫製物は押えられる。そして、図１１に示すように、上送り足２４が下降し、押え足２０とともに、縫製物を押えることで、１つの縫い目の形成が終了する。上述した図６から図１１に示される押え足２０，上送り足２４等の作動が繰り返されることで、総合送りミシン１０による縫製が行われる。
【００２８】
＜総合送りミシン１０の特徴＞
総合送りミシン１０では、上述したように、縫い針２２が上昇し、上糸と下糸とが締め付けられる際に、縫製物は、上方に引っ張られるが、押え足２０によって押えられる。具体的には、図１２に示すように、上送り足２４と縫い針２２とが上昇している際に、押え足２０のみが下降しており、縫製物は、押え足２０の底部３６によって押えられている。この際、縫い針２２とともに上昇する上糸は、押え足２０の底部３６に形成された長穴３８を介して、下糸に結束されている。このため、上糸と下糸との結束時に、縫製物は、上糸とともに引っ張られるが、押え足２０の底部３６によって押えられる。
【００２９】
この押え足２０の底部３６に形成されている長穴３８の幅は比較的狭く、さらに、長穴３８の端部を介して、上糸が下糸に結束されている。このため、上糸と下糸との結束部に近い箇所において、縫製物は、押え足２０の底部３６によって押えられる。これにより、縫製物は、上方に殆ど移動することなく、適切な縫製が担保される。一方で、従来の総合送りミシンでは、縫い針が上昇し、上糸が上方に引っ張られる際に、縫製物も、上糸とともに上方に移動し、縫い縮みが発生する。特に、縫製物が薄い場合には、縫製物が大きく上方に移動し、大きな縫い縮みが発生する。
【００３０】
具体的には、従来の総合送りミシン１００は、図１３に示すように、押え足１０２と上送り足１０４と縫い針１０６とを備えている。押え足１０２は、総合送りミシン１０の押え足２０と同様に、上下方向に移動する。その押え足１０２の底部１０８は、総合送りミシン１０の上送り足２４の底部５４と略同形状の二股形状とされている。また、上送り足１０４は、総合送りミシン１０の上送り足２４と同様に、上下方向に移動するとともに、総合送りミシン１００の前後方向に搖動する。その上送り足１０４の底部１１０は、総合送りミシン１０の押え足２０の底部３６とほぼ同形状とされている。ただし、上送り足１０４の底部１１０には、長穴でなく、円形の穴１１２が形成されている。また、縫い針１０６は、総合送りミシン１０の縫い針２２と同様に、上下方向に移動するとともに、総合送りミシン１００の前後方向に搖動する。さらに、総合送りミシン１００は、総合送りミシン１０の下送り歯２６と針板２８と同様に機能する下送り歯（図示省略）と針板（図示省略）も備えている。
【００３１】
上記構成の総合送りミシン１００でも、総合送りミシン１０と同様に作動し、上送り足１０４と縫い針１０６と下送り歯とによって、縫製物が送り出されるため、厚い縫製物であっても、適切な送り出しを行うことが可能となる。しかしながら、図１４に示すように、縫い針１０６が上昇し、上糸と下糸とが結束される際において、縫製物は、押え足１０２の底部１０８によって押えられる。この際、上糸と下糸との結束部は、押え足１０２の底部１０８の二股の間に位置している。この底部１０８の二股の間の幅は、比較的広く、上糸と下糸との結束部に近い位置で、押え足１０２の底部１０８によって、縫製物を押えることができない。このため、縫製物は、上糸とともに、上方に移動し、テントが張られた形状となり、縫製物に縫い縮みが生じる。特に、薄い縫製物では、上方へ移動する縫製物の量は多くなり、大きな縫い縮みが発生する。
【００３２】
一方、総合送りミシン１０では、上糸の上昇時において、縫製物は、図１２に示す形状の押え足２０の底部３６によって押えられており、底部３６は、上糸と下糸との結束部に非常に近い位置で、縫製物を押えている。このため、例えば、縫製物が薄い場合であっても、図１２に示すように、縫製物は、上糸が上方に引っ張られる際に、殆ど上方に移動せず、テント形状とならない。これにより、総合送りミシン１０では、薄い縫製物であっても、縫い縮みを発生させることなく、適切に縫製を行うことが可能となる。つまり、総合送りミシン１０は、厚い縫製物だけでなく、薄い縫製物をも適切に縫製することが可能となっている。
【００３３】
このように、厚い縫製物だけでなく、薄い縫製物をも適切に縫製可能な総合送りミシン１０は、厚い箇所と薄い箇所が混在する縫製物の縫製に適している。具体的には、例えば、自動車のシートのシートカバー等では、通常の布が縫製される箇所、つまり、比較的薄い縫製箇所と、本革，シートパッド等が縫製される箇所、つまり、比較的厚い縫製箇所とが混在している。このため、従来のシートカバー縫製時には、比較的厚い縫製箇所に対しては、総合送りミシンが用いられ、比較的薄い縫製箇所に対しては、上下送りミシン等が用いられていた。ただし、縫製箇所に応じて、ミシンを変更していては、作業性が非常に悪い。また、従来の総合送りミシン１００を用いて、比較的厚い縫製箇所と比較的薄い縫製箇所とを縫製すれば、上述したように、薄い縫製箇所に縫い縮みが発生する。一方、総合送りミシン１０であれば、厚い縫製箇所も、薄い縫製箇所も適切に縫製を行うことが可能である。このことから、総合送りミシン１０は、厚い箇所と薄い箇所が混在するシートカバー等の縫製物の縫製に適している。
【００３４】
ちなみに、上記実施例において、総合送りミシン１０は、総合送りミシンの一例である。押え足２０は、押え部材の一例である。縫い針２２は、縫い針の一例である。上送り足２４は、上送り部材の一例である。押え足２０の底部３６は、押え部材の底部の一例である。長穴３８は、長穴の一例である。上送り足２４の底部５４は、上送り部材の底部の一例である。貫通部５６は、貫通部の一例である。
【００３５】
なお、本発明は、上記実施例に限定されるものではなく、当業者の知識に基づいて種々の変更、改良を施した種々の態様で実施することができる。具体的には、例えば、上記実施例では、上送り足２４の底部５４は、二股形状であるが、押え足２０の底部３６を収容可能な形状であればよく、例えば、上下方向に貫通する貫通穴であってもよい。また、押え足２０の底部３６には、長穴３８が形成されているが、縫い針２２を挿通可能な形状であればよく、例えば、二股形状であってもよい。
【００３６】
また、上記実施例では、総合送りミシン１０が、車両用のシートカバーの縫製に適していると記載しているが、種々の縫製物の縫製に、総合送りミシン１０を用いることが可能である。
【符号の説明】
【００３７】
１０：総合送りミシン
２０：押え足（押え部材）
２２：縫い針
２４：上送り足（上送り部材）
３６：底部
３８：長穴
５４：底部
５６：貫通部
【図１】
2015142657.tif 000003
【図２】
2015142657.tif 000004
【図３】
2015142657.tif 000005
【図４】
2015142657.tif 000006
【図５】
2015142657.tif 000007
【図６】
2015142657.tif 000008
【図７】
2015142657.tif 000009
【図８】
2015142657.tif 000010
【図９】
2015142657.tif 000011
【図１０】
2015142657.tif 000012
【図１１】
2015142657.tif 000013
【図１２】
2015142657.tif 000014
【図１３】
2015142657.tif 000015
【図１４】
2015142657.tif 000016